Podtech/llm-jp-corpus-v4-ja_patent huggingface dataset:
(57)【要約】      （修正有）【課題】トイレの便座に容易に座る事でき、しかも便座から立つ時、並びに車いすから立つ時に体に負担をかけずに立つことができる。また、床下にスペースがあれば既存のトイレや希望する場所にそのまま設置することができる。【解決手段】床下昇降装置１に、手すり２をとりつけ、スイッチ３で手すり２を昇降させることにより、この課題を解決する。【選択図】図１
0003134153.tif 000002
【実用新案登録請求の範囲】
【請求項１】
床下昇降装置（１）に、手すり（２）とスイッチ（３）をとりつけた介護目的昇降式手すり。
【請求項２】
床下昇降装置（１）に、手すり（２）と可動式床（５）、スイッチ（３）をとりつけた介護目的昇降式手すり。
【考案の詳細な説明】
【技術分野】
【０００１】  この考案は、介護目的の昇降式手すりに関するものである。
【背景技術】
【０００２】  従来より立ち座わりの動作は、体の不自由な人や高齢者には大変な作業であり、また新しく介護用にリフォームするにも十分なスペースが必要であった。
さらに、車いすなどからの立ち座りの補助はなかった。
【考案の開示】
【考案が解決しようとする課題】
【０００３】  これは次のような欠点があった。
イ．体や足の不自由な人がトイレに座ったり立ったりするのが大変であった。
ロ．足の不自由な人や車いすの人が目的の場所に移動するのが大変であった。
ハ．後から介護用に部屋をリフォームするにはスペースが必要であった。
本考案は、以上の欠点を解決するためになされたものである。
【課題を解決するための手段】
【０００４】  床下昇降装置（１）に、手すり（２）や可動式床（５）をとりつけ、スイッチ（３）を取り付ける。以上の構成からなる昇降式手すりである。
【考案の効果】
【０００５】  本考案を使用することによって、トイレの便座に容易に座る事でき、しかも便座から立つ時、並びに車いすから立つ時に体に負担をかけずに立つことができる。また床下にスペースがあれば既存のトイレや希望する場所にそのまま設置することができる。
【考案を実施するための最良の形態】
【０００６】  以下、本考案の実施の形態を説明する。
床下昇降装置（１）に、手すり（２）をとりつけ、スイッチ（３）を取り付ける。
本考案は、以上の構成によりなっている。
本考案を使用するときは、手すり（２）につかまり、スイッチ（３）を押す。これにより、床下昇降装置（１）が上下し、自分の身体も上下する。これにより便座への座り立ちが容易となる。また車いすなどへの座り立ちの場合は、手すり（２）にドア外延長部（４）を設置し、ドアの外から立ち、手すりにつかまり移動する。身体の不自由の度合いまたは介護の有無により、床下昇降装置（１）に可動式床（５）と手すり（２）をとりつけ、床ごと上下し、座り立ちの補助となる。
【図面の簡単な説明】
【０００７】
【図１】  本考案の断面図
【図２】  本考案の折り畳んでいるドア外延長部
【図３】  本考案の車いすの立ち座りの使用方
【図４】  本考案の便座の立ち座りの使用法
【図５】  本考案の便座への立ち座り補助の一部床昇降式の断面図
【図６】  本考案の便座の立ち座りの介護者有りの場合の床昇降式の断面図
【図７】  本考案の床昇降式の便座部の斜視図
【符号の説明】
【０００８】  １      床下昇降装置
２      手すり
３      スイッチ
４      ドア外延長部
５      可動式床
６      ドア
７      車椅子
【図１】
0003134153.tif 000003
【図２】
0003134153.tif 000004
【図３】
0003134153.tif 000005
【図４】
0003134153.tif 000006
【図５】
0003134153.tif 000007
【図６】
0003134153.tif 000008
【図７】
0003134153.tif 000009
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
床下に昇降機を設け、昇降機から手すりを床の上に出るように取り付ける、手すりに昇降機に連動したスイッチを取り付け、スイッチにより手すりが上下する介護目的昇降式手すり。
【請求項２】
床下に昇降機を設け、昇降機に手すりと床を取り付ける、手すりに昇降機に連動したスイッチを取り付け、スイッチにより手すりと床が上下する介護目的昇降式手すり。
(57)【要約】      （修正有）【課題】外周部の４隅形状に直角で鋭利な個所の発生しない、安全で、快適に薬剤等の服用ができるヒートシールの提供。【解決手段】１葉のヒートシールの外周部にカットラインに跨って、プレス加工等により、Ｖ形又は、弧状の外形形状を、並びに内側の縦・横のカットラインの交叉するほぼ中央部に、菱形又は糸巻き状の四辺形等の穴を形成し、個別に切り離した際、外周コーナー部が９０度以上の鈍角な角度を有し、又は、弧状の形状を有する。【選択図】図３
0003134159.tif 000002
【実用新案登録請求の範囲】
【請求項１】
カットラインに沿って、個別に切り離した際、４隅のコーナー部が、９０度以上の直線状の鈍角で形成される、又は該コーナー部が円弧状に形成される薬剤等のヒートシール
【考案の詳細な説明】
【技術分野】
【０００１】本考案は薬剤等のヒートシールの個別に切り離した後の外形形状に関する。
【背景技術】
【０００２】従来、個別に切り離す前の１葉の状態において４隅のコーナー部が、９０度以上の直線上の鈍角で形成される、又は該コーナー部が円弧状に形成されるヒートシールはあった。
【考案の開示】
【考案が解決しょうとする課題】
【０００３】従来の技術では、１葉のヒートシールからカットラインに沿って、個別に切り離した場合、４隅のコーナー部は、直角で鋭利な形状となって、取り扱いを誤ると、指先に鋭い痛みを感じたり、身体の一部を傷つけたり、或いは衣服を損傷する場合があった。
【課題を解決する手段】
【０００４】本考案は、個別に切り離されたヒートシールの４隅のコーナー部が９０度以上の直線上の鈍角で形成される、又はそのコーナー部が円弧状に形成されることにより、直角で鋭利なコーナーが形成されず、上記課題を解決する。
【考案の効果】
【０００５】請求項１の考案によれば、カットラインに沿って個別に切り離した全てのヒートシールの外周部の４隅形状に直角で鋭利な個所が発生することはないので、安全に、快適に薬剤等を服用することが出来る。
【考案を実施するための最良の形態】
【０００６】図面を参照して本考案の実施の形態を説明する。
図３、図４において、（１）は切り離し前のヒートシール、（２）は薬剤等を個装した透明フィルム部（薬剤等は図示していない）、（３ａ）、（３ｂ）は切り離し後の個装ヒートシール、（４ａ）、（４ｂ）は、切り離しカットライン（６）に跨って外周部に形成したＶ形又は、弧状の外形形状を示す。
（５ａ）、（５ｂ）は、１葉のヒートシールの内側の縦・横のカットラインの交叉するほぼ中央部に形成した菱形又は糸巻き状の四辺形等の穴を示す。
【図面の簡単な説明】
【図１】従来の、切り離し前のヒートシールの平面図である。
【図２】従来の、ヒートシールを個別に切り離した状態の平面図である。
【図３】本考案の実施例の一つでヒートシールの平面図を示す。
【図４】本考案の実施例の一つで、個別に切り離したヒートシールの平面図である。
【図５】本考案の別の、実施例でヒートシールの外周部の弧状形状とカットラインの交叉したほぼ中央部に形成した糸巻き状の四辺形穴の拡大図である。
【図６】本考案の別の実施例で、個別に切り離したヒートシールの平面図である。
【図１】
0003134159.tif 000003
【図３】
0003134159.tif 000004
【図５】
0003134159.tif 000005
【手続補正書】
【提出日】平成19年5月28日(2007.5.28)
【手続補正１】
【補正対象書類名】図面
【補正対象項目名】全図
【補正方法】変更
【補正の内容】
【図１】
0003134159.tif 000006
【図２】
0003134159.tif 000007
【図３】
0003134159.tif 000008
【図４】
0003134159.tif 000009
【図５】
0003134159.tif 000010
【図６】
0003134159.tif 000011
(57)【要約】【課題】  グラスやコップ、カップで飲料をストロ−を使用して飲む時に、ストロ−を固定した状態で飲み易くする「ストロ−ホルダ−」である。通常はストロ−を直接飲料の入ったグラスやコップ、カップに差し込んだ状態で利用するが、前後、左右に異動し、一定しない状態に非常に不便を感じる。この「ストロ−ホルダ−」をグラスやコップ、カップ等の淵に簡単に挟み込むだけでストロ−が固定化され、口元にストロ−を運び易くして飲料を飲み易くする。【解決手段】  「ストロ−ホルダ−」はホルダ−にストロ−を差し込むための丸い穴を切り抜いた形状になっており、その「ストロ−ホルダ−」を、グラスやコップ、カップの淵に挟み込んでストロ−を固定化し、飲料を飲むときのストロ−の前後、左右に移動する状態を解決し、吸い口が口元に運びやすく、ストロ−を利用しての飲料を飲み易くしている。【選択図】図１
0003134152.tif 000002
【実用新案登録請求の範囲】
【請求項１】
グラスやコップ、カップの飲料をストロ−を使用して飲む時に、ストロ−を固定した状態で飲み易くする「ストロ−ホルダ−」である。通常ストロ−は直接飲料の入ったグラスやコップ、カップに差し込んだ状態で利用するが、ストロ−が前後、左右に移動し、一定しない状で飲もうとする時に不便を感じる。この「ストロ−ホルダ−」をグラスやコップ、カップ等の淵に簡単に挟み込むだけでストロ−が固定化され、口元にストロ−を運び易くして飲料を飲み易くするのを特徴としている。
【考案の詳細な説明】
【技術分野】
【０００１】  本考案は、グラスやコップ、カップの淵に挟み込むホルダ−に、ストロ−を差し込むための丸い穴を切り抜いた形状の「ストロ−ホルダ−」である。
【背景技術】
【０００２】  グラスやコップ、カップで飲料を飲むときに、通常ストロ−は直接グラスやコップ、カップに差し込んだ状態で利用する。飲料を飲んでいるうちストロ−が前後、左右に移動し固定されない状態にストロ−を使用して飲料を飲むことに不便を感じる。
【考案の開示】
【考案が解決しょうとする課題】
【０００３】  ストロ−を利用して飲料を飲むときの、ストロ−の位置が固定化されないためにストロ−の吸い口が前後、左右に移動しやすいことから、ストロ−を利用してより飲料を飲み易くする。また、飲料を飲むときのストロ−を利用することの利便性の向上を図る。
【課題を解決するための手段】
【０００４】  簡単にグラスやコップ、カップの淵に挟み込んでストロ−を固定化できる「ストロ−ホルダ−」を利用することで飲料を飲むときのストロ−の前後、左右に移動する状態が解決され、吸い口が口元に運ばれやすくなりストロ−を利用しての飲料を飲む利便性が向上する。
【考案の効果】
【０００５】  ストロ−を利用しての飲料を飲む利便性の向上。「ストロ−ホルダ」の形状に動物、花キャラクタ−等を色彩、柄をデザインしてグラスアクセサリ−に、またレストラン、喫茶店においては自店名を刻印して自店ＰＲとしても利用する。
【考案を実施するための最良の形態】
【０００６】  グラスやコップ、カップの淵に「ストロ−ホルダ−」を簡単に挟み込み「ストロ−ホルダ−」のストロ−用差込穴にストロ−を入れて飲料を飲む。
【実施例】
【０００７】  以下、添付図面で説明、紹介する。
【図面の簡単な説明】
【０００８】
【図１】  本考案の「ストロ−ホルダ−」の側面図、上面図、イメ−ジ図
【図２】  「ストロ−ホルダ−」のグラス装着時の外観図
【符号の説明】
【０００９】  １    「ストロ−ホルダ−」イメ−ジ図
【図１】
0003134152.tif 000003
【図２】
0003134152.tif 000004
【手続補正書】
【提出日】平成19年5月11日(2007.5.11)
【手続補正１】
【補正対象書類名】実用新案登録請求の範囲
【補正対象項目名】全文
【補正方法】変更
【補正の内容】
【実用新案登録請求の範囲】
【請求項１】
グラスやコップ、カップの淵に挟み込むホルダ−に、ストロ−を差し込むための丸い穴を切り抜いた形状のストロ−ホルダ−である。
(57)【要約】【課題】積雪の多いい雪国は、家の廻りの雪かきが、毎日重労働で雪かきした、雪を川やミゾに捨てているので、他に良い方法が無いか、考えました。【解決手段】防水式電気カーペットを、使って熱で溶かすと、雪を捨てる場所が、無くてもすむ。【選択図】図１
0003134134.tif 000002
【実用新案登録請求の範囲】
【請求項１】
本新案は、雪国の雪かきに、人でが、かからないように考えて、熱で溶かす、電気式に、タイマー、温度計を付けて、組立式「カセット」で大きさや型を、コーナーや階段に、使える用にした。
電気式  雪かき  カーペットです。
【考案の詳細な説明】
【技術分野】
【００１】電気式カーペットの、防水型で、タイマーと温度計を付けて、組立式「カセッ卜」で大きさも、コーナーや階段でも自由に使える。
【背景技術】
【００２】今までに雪国で、見かけない。
【考案の開示】
【考案が解決しようとする課題】
【００３】家の廻りに、積もる雪を、積もらない用にすると、雪かきに、人手が要らなくてすむ。
【課題を解決するための手段】防水型電気式カーペットを、組立式にして、熱で雪を溶かす。
【考案の効果】家の廻りの、雪かきに、人手が要らなくてすむ。
【図面の簡単な説明】
【図１】家の廻りに、置いた組立式カーペット、
【図２】カーペットの断面
【符号の説明】
１          カーペット
２          コードとタイマー付きスイッチ
【図１】
0003134134.tif 000003
【図２】
0003134134.tif 000004
【手続補正書】
【提出日】平成18年11月24日(2006.11.24)
【手続補正１】
【補正対象書類名】実用新案登録請求の範囲
【補正対象項目名】全文
【補正方法】変更
【補正の内容】
【実用新案登録請求の範囲】
【請求項１】
．本新案は、雪国で雪掻きに、人手が、いらないように、考えて、
．雪を熱で溶かす事を思付ました、
．軒下周りや玄関先の通路に敷き詰めて使い、
．コーナーや階段などに対応できる用にした、
．タイマーとサーモスタット付き組立式カセットの、
．電気式防水カーペット  商品名  「ゆきかき」です。
【手続補正書】
【提出日】平成19年2月15日(2007.2.15)
【手続補正１】
【補正対象書類名】実用新案登録請求の範囲
【補正対象項目名】全文
【補正方法】変更
【補正の内容】
【実用新案登録請求の範囲】
【請求項１】
本新案は、雪国の雪かきに、人でが、かからないように考えて、熱で溶かす、電気式に、タイマー、温度計を付けて、組立式「カセット」で大きさや型を、コーナーや階段に、使える用にした、電気式  雪かきカーペットです。
【手続補正書】
【提出日】平成19年5月1日(2007.5.1)
【手続補正１】
【補正対象書類名】実用新案登録請求の範囲
【補正対象項目名】全文
【補正方法】変更
【補正の内容】
【実用新案登録請求の範囲】
【請求項１】
本新案は、雪国で雪掻きに、人手がいらないように考えて雪を熱で溶かす事を思い付きました、軒下周りや玄関先の通路に敷き詰めて使い  コーナーや階段等に対応出来るようにした  タイマーとサーモスタット付き、組立式電気式防水カーペット。
(57)【要約】【課題】自動掃除機の障害物超越装置を提供する。【解決手段】本考案の自動掃除機の障害物超越装置は、自動掃除機の主体下方に設置し、主体を搭載して地表面で移動する。障害物超越装置は二駆動輪ユニットからなり、各駆動輪ユニットは、動力源、二伝動素子、及び、二輪体、からなり、各伝動素子はそれぞれ各輪体と動力源を連結し、各輪体が動力源の駆動を受け、地表面上の障害を乗り越え、且つ、地表面を傷つけない。【選択図】図２
0003134258.tif 000002
【実用新案登録請求の範囲】
【請求項１】
自動掃除機の障害物超越装置であって、前記自動掃除機の主体下方に設置し、前記主体を搭載して地表面で移動し、前記障害物超越装置は二駆動輪ユニットからなり、その特徴は、
前記の各駆動輪ユニットは、動力源、二伝動素子、及び、二輪体、からなり、前記の各伝動素子はそれぞれ前記各輪体と前記動力源を連結し、前記各輪体が前記動力源の駆動を受け、地表面上の障害を乗り越え、且つ、地表面を傷つけないことを特徴とする自動掃除機の障害物超越装置。
【請求項２】
前記動力源はモーターで、前記モーターは、相同の回転速度で出力する二出力軸を有し、前記の各伝動素子は、渦棒と、前記渦棒の伝動を受ける惑星ギアユニットと、を有し、前記渦棒は前記出力軸に装着されて同時に転動し、前記惑星ギアユニットにより前記輪体を駆動することを特徴とする請求項１に記載の自動掃除機の障害物超越装置。
【請求項３】
前記の各惑星ギアユニットは、中心ギア、固定不動の内ギア環、前記中心ギアと前記内ギア環で同時に噛合する複数の惑星ギア、前記惑星ギアを定位し、前記惑星ギアの運動を受けて転動する支承棒、からなり、前記中心ギア一側は円形の壁を形成し、前記壁外周縁は環状の外ギアを形成し、前記外ギアは前記渦棒と噛合して伝動し、前記支承棒は前記輪体と連結することを特徴とする請求項２に記載の自動掃除機の障害物超越装置。
【考案の詳細な説明】
【技術分野】
【０００１】
本考案は、自動掃除機の障害物超越装置に関するものであって、特に、自動掃除機に障害物超越功能を具備させる駆動装置に関するものである。
【背景技術】
【０００２】
近年、人工知能により発展してきた自動掃除機は、人為操作が全く不要であり、掃除が自動化されるので非常に人気がある。例えば、米国特許第６８８３２０１号で自動掃除機が開示され、自動清掃と吸塵功能を有しているが、底部が掃除機全体の移動を駆動する装置設計は、二側に駆動輪を有し、前方は惰輪を有し、各駆動輪は動力源（モーター）の帯動により掃除機を前進、及び、転向させ、惰輪は単なる支承用である。しかし、このような設計は、実際の使用時、惰輪が地面の凹凸不平箇所に引っかかり前進できない。この他、惰輪は支承用であり、動力を有さないので、木質材等の地面を損傷しやすい。
【考案の開示】
【考案が解決しようとする課題】
【０００３】
本考案は、障害物超越能力を有し、地面を傷つけない自動掃除機の障害物超越装置を提供することを目的とする。
【課題を解決するための手段】
【０００４】
上述の目的を達成するため、本考案の自動掃除機の障害物超越装置は、自動掃除機の主体下方に設置し、主体を搭載して地表面で移動する。障害物超越装置は二駆動輪ユニットからなり、各駆動輪ユニットは、動力源、二伝動素子、及び、二輪体、からなり、各伝動素子はそれぞれ各輪体と動力源を連結し、各輪体が動力源の駆動を受け、地表面上の障害を乗り越え、且つ、地表面を傷つけない。
【考案の効果】
【０００５】
本考案の自動掃除機の障害物超越装置は、障害物を乗り越え、且つ、地面を損傷しないという長所がある。
【考案を実施するための最良の形態】
【０００６】
図１を参照すると、本考案の自動掃除機の障害物超越装置は自動掃除機の主体下方に設置され、主体を搭載して地表面上で移動させる。障害物超越装置は二駆動輪ユニットからなる。自動掃除機の主体は更に、制御回路、センサー、及び、吸塵装置等からなり、主体部分は本案の重点ではないので、ここに詳述しない。
【０００７】
図２を参照すると、駆動輪ユニットは、座体１、モーター２（動力源）、二伝動素子、及び、二輪体５からなる。
【０００８】
座体１は第一殻体１１と第二殻体１２からなり、両者は結合して容置空間を形成し、その他の素子を定位させる。
【０００９】
モーター２は座体１が形成する容置空間の中央部に設置され、モーター２の水平方向の両端は相同の回転速度の二出力軸２１を有する。伝動素子は、渦棒３と、渦棒３の伝動を受ける惑星ギアユニット４と、を有する。渦棒３は出力軸２１に装着されて転動する。二伝動素子の出力軸２１と輪体５との連結は相同の連結関係であり、以下の説明は一伝動素子を例とする。
【００１０】
惑星ギアユニット４は、中心ギア４１、第一殻体１１上に形成され固定不動の内ギア環４２、中心ギア４１と内ギア環４２で同時に噛合する複数の惑星ギア４３、惑星ギア４３を定位し、惑星ギア４３の運動を受けて転動する支承棒４４、からなる。中心ギア４１一側は円形の壁４５を形成し、壁４５外周縁は環状の外ギア４６を形成し、外ギア４６は渦棒３と噛合して伝動する。支承棒４４は第一殻体１１外面を穿出して輪体５と連結する。図３は組み合わせ図である。
【００１１】
上述の構造により、モーター２の出力軸２１が転動する時、同時に、渦棒３を帯動して外ギア４６を噛合伝動し、この時、第一段の減速伝動作用を形成する。外ギア４６、中心ギア４１、及び、壁４５は一体成形であり、中心ギア４１と外ギア４６は相同の回転速度である。中心ギア４１により惑星ギア４３を連動して内ギア４２中で回転し、第二段の減速作用を実行し、最後に、支承棒４４により輪体５を帯動して回転させる。この他、モーター２は二出力軸２１を有し、二組の伝動素子、及び、二輪体５を同時に帯動し、各輪体５は皆動力を有する。自動掃除機本体左右にそれぞれ駆動輪ユニットを装着し、よって、本体底部は地面と接触する四個の輪体５を有する。よって、地面の凹凸不平部分や障害物を容易に超越することができる。この他、各輪体５は動力を有し、且つ、タイヤの表面は軟らかいので、地面を損傷せず、現有の自動掃除機の使用上の欠点を大幅に改善する。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の自動掃除機の障害物超越装置を自動掃除機主体下方に装着した状態図である。
【図２】本考案の自動掃除機の障害物超越装置の駆動輪の立体分解図である。
【図３】図２の立体組み合わせ図である。
【符号の説明】
【００１４】
１    座体
１１  第一殻体
１２  第二殻体
２    モーター
２１  出力軸
３  渦棒
４  惑星ギアユニット
４１  中心ギア
４２  内ギア環
４３  惑星ギア
４４  支承棒
４５  壁
４６  外ギア
５  輪体
【図１】
0003134258.tif 000003
【図２】
0003134258.tif 000004
【図３】
0003134258.tif 000005
(57)【要約】      （修正有）【課題】従来にない新規な興趣を惹起せしめて、変化性と面白さ、楽しさを演出でき、これにより注目を惹き付け、メッセージを強く印象付け得る構成のグリーティングカードなどの装飾カード類を提供する。【解決手段】カード用紙１上に適宜なスケッチ、絵画、写真などの表示手段を用いて、人物、動物、静物、その他を適宜に表出し、その所要部分に毛髪、動物毛、合成繊維からなる人工毛などの毛材２を貼着して毛皮の実感を現実的に顕出し得るように構成したことを特徴とするグリーティングカードなどの装飾カード類。【選択図】図１
0003134223.tif 000002
【実用新案登録請求の範囲】
【請求項１】
カード用紙１上に適宜なスケッチ、絵画、写真などの表示手段を用いて、人物、動物、静物、その他を適宜に表出し、その所要部分に毛髪、動物毛、合成繊維からなる人工毛などの毛材２を貼着して毛皮の実感を現実的に顕出し得るように構成したことを特徴とするグリーティングカードなどの装飾カード類。
【考案の詳細な説明】
【技術分野】
【０００１】
本考案は、誕生日カードやクリスマスカードなどに代表されるグリーティングカード、各種挨拶状、各種催事などの案内状、その他の注目を惹き付けてメッセージを強く印象付けるために使用することのできる装飾カード類に関するものである。
【背景技術】
【０００２】
従来のこの種のカード類は、祝文、挨拶文、案内文などの文章と差出人の住所、氏名などの文字のみで構成されているものが一般的であり、これらはきわめて変化性に乏しく、平面的で且つ画一的な印象を与えるに過ぎないようなものであって、注目を惹きメッセージを強く印象付ける効果を得られるに足るものはほとんど見当たらいなどの問題点があった。
【特許文献１】特開２００１−８０２４８
【考案の開示】
【考案が解決しようとする課題】
【０００３】
本考案は、如上の問題点を解決すべく案出したものであって、従来にない新規な興趣を惹起せしめて、変化性と面白さ、楽しさを演出でき、これにより注目を惹き付けメッセージを強く印象付け得るに足る構成のグリーティングカードなどの装飾カード類を提供することを目的とするものである。
【課題を解決するための手段】
【０００４】
本考案に係るグリーティングカードなどの装飾カード類は、カード用紙１上に適宜なスケッチ、絵画、写真などの表示手段を用いて、人物、動物、静物、その他を適宜に表出し、その所要部分に毛髪、動物毛、合成繊維からなる人工毛などの毛材２を貼着して毛皮の実感を現実的に顕出し得るように構成したことを最も主要な特徴とするものである。
【考案の効果】
【０００５】
本考案に係るグリーティングカードなどの装飾カード類は、当該カード用紙１に適宜に表出した人物、動物、静物、その他におけるその所要部分に毛髪、動物毛、合成繊維からなる人工毛などの毛材２を貼着して毛皮の実感を現実的に顕出し得るように構成したことにより、従来にない興趣に富んだ変化性のある面白く楽しいユニークな装飾カード類となすことができ、注目を惹き付けメッセージを強く印象付けることができるいう利点がある。
【考案を実施するための最良の形態】
【０００６】
本考案は、グリーティングカードなどの装飾カード類に直接的に毛髪、動物毛、合成繊維からなる人工毛などの毛材２を貼着して毛皮の実感を現実的、立体的に顕出することによって手軽に演出し実現したものである。
【実施例１】
【０００７】
以下に、本考案の構成を図示する実施例に基づいて説明する。
【０００８】
グリーティングカードなどを形成するカード用紙１の面上任意部分に適宜なスケッチ、絵画、写真などの表示手段を用いて、人物２、動物、静物、その他を適宜に表出し、その所要部分に毛髪、動物毛、合成繊維からなる人工毛などからなる毛材２を貼着して毛皮の実感を現実的に顕出し得るように構成する。
【０００９】
本実施例における図１は、カード用紙１上に、頭頂部が禿ており、側頭部及び後頭部にのみ頭髪を残す所謂禿頭の甚兵衛羽織３などを羽織る年配男性４の後ろ姿をスケッチなどで描出している。
【００１０】
そして、当該年配男性４の頭髪部分には、本物の頭髪に似せて毛髪、又は動物毛、或いは又、カネカロン（登録商標）などの合成繊維からなる人工毛などの適宜な毛材２を接着剤を用いてカード用紙１に直接に貼着一体化している。
【００１１】
禿頭の甚兵衛羽織を羽織る年配男性４の姿は、喜劇役者がよく演じる面白く楽しいコミックなかつユーモアあるキャラクターであり、その頭髪部分のカード用紙１に上記毛材２を貼着一体化して本物ぽい頭髪の実感を与え得ることから、格別の興趣を惹起して注目を惹き、当該カードに託すメッセージを看者に強く印象付けることができる。
【００１２】
毛材２を使用した本考案カード類の表現は、上記した本実施例の他に、チャップリンなどの髭を生やした男性顔の画像における当該髭部分のカード用紙に毛材を貼着一体化して本物っぽい髭を実感させたり、鳥の画像における羽部分に毛材を貼着一体化したり、女性顔などの画像における額に垂れ下がる前髪部分に毛材を貼着一体化したり、更には、デコレーションケーキの画像におけるケーキ表面や、風景画における芝生部分に緑に着色して刈り込んだ毛材を貼着一体化する等々、毛材を使用するカード類の注目を惹く画像表現を広汎に実現することができる。
【図面の簡単な説明】
【００１３】
【図１】本考案の実施例を示す正面図である。
【符号の説明】
【００１４】
１    カード用紙
２    毛材
３    甚兵衛羽織
４    年配男性
【図１】
0003134223.tif 000003
(57)【要約】【課題】  本考案は、構造が簡単でありながら、片手で容易に使用可能なロールペーパーホルダーを提供することにある。【解決手段】  ロールペーパーＰを回転自在に支持する支持軸５の両端を保持する保持体２と、先端切断部８に下向きに鋸刃状の刃を設けた上蓋７及びロールペーパーＰの側面に接する側面４に突起を有し湾曲した制止板３から成り、上蓋７と制止板３の接合部にあって制止板３の側面４がロールペーパーＰの側面と可能な限り多く接することが出来る位置に回転軸６を配置したロールペーパーホルダー。【選択図】図２
0003134234.tif 000002
【実用新案登録請求の範囲】
【請求項１】
ロールペーパーＰを回転自在に支持する支持軸５の両端を保持する保持体２、先端切断部８に下向きに鋸刃状の刃を設けた上蓋７、ロールペーパーＰの側面に接する側面６に突起を有し湾曲した制止板３、上蓋７と制止板３の接合部にあり、かつ制止板３の側面４がロールペーパーＰの側面と可能な限り多く接することが出来る位置に配置した回転軸６より成るロールペーパーホルダー。
１  
【考案の詳細な説明】
【技術分野】
【０００１】
本考案はロールペーパーホルダーに関する。
【背景技術】
【０００２】
従来のロールペーパーホルダーは、ロールペーパーを回転自在に保持し、使用時には、ペーパーを必要な長さだけ引き出した後、このロールペーパーの上に配置した上蓋をロールペーパーに押し当てて、刃状になった上蓋の先端部で、所定の長さに切断するものである。
【０００３】
従って、ペーパーを切断する際にロールペーパーが回転してしまい、回転を抑えるために片手は上蓋を押さえ、もう一方の手でペーパーを切断するという具合に、両手を使用せねばならず、片手での切断は困難であった。
【０００４】
近年、種々の試みがなされ片手で切断が可能になったかに見えたが、装置が複雑になりペーパーロールの交換に手間取るなどいまだ解決すべき点が多い（特許文献１参照）。
【特許文献１】特開平１１−１５１１７８
【考案の開示】
【考案が解決しようとする課題】
【０００５】
本考案は、以上のような従来の欠点を解消するべく創出されたもので、キッチンペーパーないしトイレットペーパー等のロールペーパーを回転自在に保持しながら、使用の際にはペーパーを片手で容易に引き出し・抑え・切断できる、簡単な構造のロールペーパーホルダーを提供することを目的としている。
【０００６】
本考案の上記並びにその他の目的と新規な特徴は、以下の説明を添付図面と照らし合わせて読むと、より完全に明らかになる。
但し、図面は専ら解説のためのものであって、本考案の記述範囲を限定するものではない。
【課題を解決するための手段】
【０００７】
上記の目的を達成するために、本考案の第一の手段は、ロールペーパーＰを回転自在に支持する支持棒５の両端を保持する保持体２と、回転軸６で自在に回転が可能であって、ロールペーパーＰの側面に接する側面４に突起を有し湾曲した制止板３を配置することである。
【０００８】
第二の手段は、制止板３と上蓋７とを回転軸６を介して一体化し、制止板３と上蓋７の動きを連動させることである。
【０００９】
第三の手段は、上蓋７の先端切断部８に鋸刃状の刃を設けることにある。
【考案の効果】
【００１０】
本考案は、上記のように構成したことによって、当初の目的を達成する。
【００１１】
すなわち、構造が簡単でありながら、キッチンペーパーないしトイレットペーパー等のロールペーパーを使用する際に、片手で容易にペーパーを引き出して、必要な長さに切断することが可能となり、この結果、従来のように一方の手で上蓋７を押さえながら、もう一方の手でペーパーを切断するという両手での作業は不要となった。
【考案を実施するための最良の形態】
【００１２】
以下、図面を参照して、本考案の実施の形態を詳細に説明する。
【００１３】
本考案のロールペーパーにおいては、ペーパーは制止板３の側面４に沿い、上蓋７の下側を経て、鋸刃状の刃を有する先端切断部８に導かれる（図２参照）。
【００１４】
ペーパーを片手で、下方向に引き出した後、上方向に引っ張ると、制止板３の側面４がロールペーパーＰの側面と接し、制止板３の側面４の突起部分に応力が集中してロールペーパーＰの回転が抑えられる。
【００１５】
また、上蓋７の先端切断部８の鋸刃にペーパーが引っ掛かることにより、さらに確実にロールペーパーの回転が抑えられると共に、鋸刃によってペーパーが容易に切断される。
【図面の簡単な説明】
【００１６】
【図１】この考案の一実施例を示す斜視図
【図２】この考案の一実施例を示す断面図
【符号の説明】
【００１７】
Ｐ  ロールペーパー
１  支持体
２  保持体
３  制止板
４  制止板の側面
５  支持軸
６  回転軸
７  上蓋
８  先端切断部  
【図１】
0003134234.tif 000003
【図２】
0003134234.tif 000004
【手続補正書】
【提出日】平成19年6月7日(2007.6.7)
【手続補正１】
【補正対象書類名】実用新案登録請求の範囲
【補正対象項目名】請求項１
【補正方法】変更
【補正の内容】
【請求項１】
ロールペーパーＰを回転自在に支持する支持軸５の両端を保持する保持体２、先端切断部８に下向きに鋸刃状の刃を設けた上蓋７、ロールペーパーＰの側面に接する側面６に突起を有し湾曲した制止板３、上蓋７と制止板３の接合部にあり、かつ制止板３の側面４がロールペーパーＰの側面と可能な限り多く接することが出来る位置に配置した回転軸６より成るロールペーパーホルダー。
(57)【要約】      （修正有）【課題】遠近両用眼鏡において遠視用・近視用いずれのレンズを使用する場合にも、鼻当てを簡便に上下させることで眼鏡縁を容易に上下させ、使用するレンズが確実に適正な高さになるようにする。【解決手段】左右の眼鏡縁１に保持環８を固定し、連結板５に接続した移動棒６を通す。移動棒６の下部に支持棒７を接合し、さらに取り付け部品を介して鼻当て９を設ける。アジャスター４は蝶番３を経てブリッジ２と接続する。移動棒６が保持環８内を上下に摺動することで、連結板５はブリッジ２と保持環８の間を上下に移動すると共に、アジャスター４によって位置を固定できる。以上の構成により、アジャスター４によって連結板５を保持環８側に固定する時には、眼鏡縁１は鼻当て９の位置からみて上方向に移動したことになり、遠近両用眼鏡は下側のレンズが適正な高さで使用される近視の状態となる。【選択図】図１
0003134235.tif 000002
【実用新案登録請求の範囲】
【請求項１】
左右の眼鏡縁１に固定した保持環８に連結板５と接合した移動棒６を通し、移動棒６の下部に支持棒７を接合し、取り付け部材を介して鼻当て９と繋がり、ブリッジ２と蝶番３を経て接続のアジャスター４が、保持環８内を上下に摺動する移動棒６に連動してブリッジ２と保持環８の間を上下動する連結板５を、ブリッジ２側ないしは保持環８側に固定することで遠視用レンズないしは近視用レンズを適正な高さで使用することを可能にする遠近両用眼鏡。
【考案の詳細な説明】
【技術分野】
【０００１】
本考案は、遠近両用のレンズを使用する眼鏡にあって、鼻当てを簡便に上下させることによって眼鏡縁を上下させて、遠視用・近視用のいずれのレンズ部分を使用する場合においても、使用するレンズ部分が確実に適正な高さになる遠近両用眼鏡に関する。
【背景技術】
【０００２】
遠近両用眼鏡においては、一般に景色の観賞などは適正な高さで遠視用レンズ部分を使用するために目の疲れは少ないが、読書や書き物は近視用レンズ部分を通して下目使いで行われるために、近視用レンズ部分を使用する作業は疲れ易く、長時間作業には向かない。
【０００３】
最近、遠近両用眼鏡を使用しながら、適正な高さで近視用レンズ部分を利用しようとする試みが見られ、例えば鼻当てを磁石によって上下に移動することで、近視用レンズを適正な高さで使用する方法が提案されている（特許文献１参照）。
【特許文献１】特開２００５−８４６６４
【考案の開示】
【考案が解決しようとする課題】
【０００４】
しかし、上述した特許文献１に提案された遠近両用眼鏡では、鼻当ての上下の位置を磁石で維持するために、その磁力が弱ければ鼻当ての下側での位置を確保することが難しく、逆に強すぎると鼻当ての移動が困難となり、たとえ磁力の微調整が可能であっても支持棒とくぼみの間の摩擦抵抗等の日々変動する更なる要因を考慮すると、眼鏡を掛けたままでの鼻当ての移動は必ずしも容易ではなく、結局のところ眼鏡を一度外した上で鼻当ての位置を変えることとなる。
【０００５】
本考案は、眼鏡を着用したままで鼻当ての位置を調整することには固執せずに、むしろ鼻当ての移動が容易であり、かつ所定の位置に確実に固定され、特に近視用レンズ部分が適正な高さで使用できる遠近両用眼鏡を提供することを目的としている。
【０００６】
本考案の上記ならびにその他の目的と新規な特徴は、以下の説明を添付図面と照らし合わせて読むと、より完全に明らかになる。
但し、図面は専ら解説のためのものであって、本考案の記述範囲を限定するものではない。
【課題を解決するための手段】
【０００７】
上記目的を達成するために、本考案の遠近両用眼鏡は、遠視用レンズと近視用レンズとよりなる遠近両用レンズを装備した遠近両用眼鏡にあって、遠視用レンズないしは近視用レンズを適正な高さでの使用を可能とするために、鼻当てを上下に移動及び固定するアジャスターを備えることを特徴としている。
【０００８】
すなわち、本考案の遠近両用眼鏡においては、左右の眼鏡縁１に保持環８を固定し、連結板５に接続した移動棒６を通す。移動棒６の下部に支持棒７を接合し、さらに取り付け部材を介して鼻当て９を設け、アジャスター４は蝶番３を経てブリッジ２と接続する。
【０００９】
移動棒６が保持環８内を上下に摺動することで、連結板５はブリッジ２と保持環８の間を上下に移動すると共に、アジャスター４によって、位置が固定できる。
【００１０】
以上の構成により、アジャスター４によって連結板５を保持環８側に固定する時（図１参照）には、眼鏡縁１は鼻当て９の位置からみて上方向に移動したことになり、遠近両用眼鏡は下側の近視用のレンズが適正な高さで使用される近点視の状態となる。
【００１１】
また、アジャスター４が連結板５をブリッジ２の下部に固定する場合には、眼鏡縁１は
下方向に移動したことになり、遠近両用眼鏡は上側の遠視用レンズが適正な高さで利用できる遠方視の状態になる。
【考案の効果】
【００１２】
本考案の遠近両用眼鏡によれば、遠視用または近視用いずれのレンズを使用する場合でも、連結板とアジャスターの簡単な操作による鼻当ての簡便な上下の移動で、眼鏡縁を容易に上下させ、使用するレンズを確実に適正な高さに設定できる。
【００１３】
また、操作が容易であり、装着したままでの使用するレンズの変更も可能となる。
【図面の簡単な説明】
【００１４】
【図１】本考案の一実施例を示す要部斜視図
【図２】本考案の一実施例を示す断面図
【符号の説明】
【００１５】
１  眼鏡縁
２  ブリッジ
３  蝶番
４  アジャスター
５  連結板
６  移動棒
７  支持棒
８  保持環
９  鼻当て
【図１】
0003134235.tif 000003
【図２】
0003134235.tif 000004
(57)【要約】      （修正有）【課題】「真実の愛」「健康」「富」そして「幸せ」などの象徴であると言われているパール（真珠）をアレンジすることにより、より美しく思いのこもった花を用いた装飾品を開発・提供することにある。【解決手段】ブーケＸにおいて、花１の花弁１ａの一部に、パール２を装着したことを特徴とする花を用いた装飾品、および、盛り花において、花１の花弁１ａの一部に、パール２を装着した花を用いた装飾品。【選択図】図１
0003134241.tif 000002
【実用新案登録請求の範囲】
【請求項１】
花を用いた装飾品において、花（１）の花弁（１ａ）の一部に、パール（２）を装着したことを特徴とする花を用いた装飾品。
【考案の詳細な説明】
【技術分野】
【０００１】
この考案は、花を用いた装飾品に関する。
【背景技術】
【０００２】
従来、ブーケやコサージュ等の花を用いた装飾品においては、ウエディングブーケや、改まった席に出席するため等に服に装着するコサージュ等は、生花や造花を主部材として用いて、これにリボン等の副部材を用いて装飾されているものである。
【０００３】
しかし、このような花を用いた装飾品に、さらに、工夫を重ねて、新たな花を用いた装飾品を開発することが臨まれている。
【０００４】
そこで、この考案者は、「真実の愛」「健康」「富」そして「幸せ」などの象徴であると言われているパール（真珠）をアレンジすることにより、より美しく思いのこもった装飾品を開発・提供することにある。
【考案の開示】
【考案が解決しようとする課題】
【０００５】
そこで、この考案は、「真実の愛」「健康」「富」そして「幸せ」などの象徴であると言われているパール（真珠）をアレンジすることにより、より美しく思いのこもった花を用いた装飾品を開発・提供することにある。
【課題を解決するための手段】
【０００６】
本考案による花を用いた装飾品は、従来の花のデザインに、宝玉の一種であるパールを配置することにより、看者の注目する花を用いた装飾品である。
【考案の効果】
【０００７】
この考案によると、装飾品において、花（１）の花弁（１ａ）の一部に、パール（２）を装着したことにより、従来の花の美しさに加えて、宝玉の一種である、パール（２）を配置することにより、美しさも倍加して見え、また、パール（２）の持つ表面の光沢が、多少、暗い室内であっても、光るものであり、装飾品の存在を惹起させ、看者に和みを与える等極めて有益なる効果を奏するものである。
【考案を実施するための最良の形態】
【０００８】
以下、図面とともに本考案による花を用いた装飾具の好適な実施の形態について詳細に説明する。図１は、この考案の一実施例であるブーケの正面図であり、図２は、この考案の一実施例である盛り花の正面図である。
【実施例】
【０００９】
この考案の一実施例を図面に基づいて詳述すると、ブーケ（Ｘ）において、花（１）の花弁（１ａ）の一部に、パール（２）を装着したことを特徴とする花を用いた装飾品から構成される。尚、ブーケ（Ｘ）にかわって、図示はしないが、コサージュであってもよいものである。
【００１０】
また、他の実施例においては、盛り花（Ｙ）において、花（１）の花弁（１ａ）の一部に、パール（２）を装着したことを特徴とする花を用いた装飾品から構成される。
【００１１】
尚、花（１）とは、バラをはじめ、鑑賞用となる花であればよく、生花、造花（シルクフラワー）等も問わないものである。
【００１２】
そして、花弁（１ａ）とパール（２）との装着手段は、その一例としては接着剤を用いて固定するものであるが、これに限定されるものではない。
【００１３】
また、花を用いた装飾品とは、前述のブーケ（Ｘ）やコサージュ（Ｙ）の他、花をその一部でも用いたいた装飾品であれば、特に、限定するものでない。
【図面の簡単な説明】
【００１４】
【図１】この考案の一実施例を示すブーケの斜視図である。
【図２】この考案の一実施例を示すコサージュの斜視図である。
【符号の説明】
【００１５】
１  花
１ａ  花弁
２  パール
Ｘ  ブーケあるいはコサージュ
Ｙ  盛り花
【図１】
0003134241.tif 000003
【図２】
0003134241.tif 000004
(57)【要約】【課題】表示計として小型、軽量で取り扱い容易な本質安全防爆型の表示計を使用した防爆計量システムを提供する。【解決手段】本質安全防爆型台秤１と本質安全防爆型表示計２とを配線４で繋ぎ、本質安全防爆型表示計２と耐圧防爆型電源ユニット３とを配線５で繋いで、本質安全防爆型表示計２を介して本質安全防爆型台秤１に給電するようにした。【選択図】図１
0003134994.tif 000002
【実用新案登録請求の範囲】
【請求項１】
本質安全防爆型台秤と本質安全防爆型表示計とを配線で繋ぎ、本質安全防爆型表示計と耐圧防爆型電源ユニットとを配線で繋いで、本質安全防爆型表示計を介して本質安全防爆型台秤に給電するようにしたことを特徴とする防爆計量システム。
【考案の詳細な説明】
【技術分野】
【０００１】
本考案は、防爆計量システムに関するものである。
【背景技術】
【０００２】
従来の計量システムに使用される台秤としては例えば特許文献１に開示されているように、ロードセルを内蔵した薄型の台秤が知られている。この特許文献１に開示されている台秤は薄型化と軽量化を図ることを目的として作られたものである。
【０００３】
特許文献１で知られる薄型の台秤を改良して、水素やアセチレン、二酸化炭素などの危険物を取り扱うような環境下で使用するには防爆型のものを作る必要がある。
そこで、防爆型の台秤として本質安全防爆型台秤が使用されるようになっている。この本質安全防爆型台秤を使った防爆計量システムの表示計は耐圧防爆型の表示計が使用されている。
【特許文献１】特開２００１−９１３４８号公報
【考案の開示】
【考案が解決しようとする課題】
【０００４】
上記した耐圧防爆型の表示計は大型で、重量が重く、取り扱いが困難であるという問題があった。
本考案の目的は、このような課題を解決するものであり、表示計として小型、軽量で取り扱い容易な本質安全防爆型の表示計を使用した防爆計量システムを提供することにある。
【課題を解決するための手段】
【０００５】
本考案の請求項１に記載の防爆計量システムは、本質安全防爆型台秤と本質安全防爆型表示計とを配線で繋ぎ、本質安全防爆型表示計と耐圧防爆型電源ユニットとを配線で繋いで、本質安全防爆型表示計を介して本質安全防爆型台秤に給電するようにしたことを特徴とする。
【考案の効果】
【０００６】
以上のように、本考案の防爆計量システムは、本質安全防爆型台秤と本質安全防爆型表示計と、本質安全防爆型表示計とからなる防爆計量システムであり、表示計が本質安全防爆型であるので小型、軽量で取り扱い容易な表示計を使用することが可能となり、そのシステムの設置作業が容易となる。
【考案を実施するための最良の形態】
【０００７】
以下、本考案の一実施の形態を、図１を用いて具体的に説明する。
図において、１は全体がステンレス製で薄型の本質安全防爆型台秤で、この本質安全防爆型台秤１で計量された結果はハウジングがステンレス製で防水型の本質安全防爆型表示計２で表示されるようになっている。前記本質安全防爆型台秤１は床面に置かれるのに対し、本質安全防爆型表示計２は壁面に掛けられたり、デスク上に置かれる。３は前記本質安全防爆型表示計２を介して本質安全防爆型台秤１に給電する耐圧防爆型電源ユニットであり、ハウジングがステンレス製である。４は本質安全防爆型台秤１と本質安全防爆型表示計２とを繋ぐ配線、５は本質安全防爆型表示計２と耐圧防爆型電源ユニットとを繋ぐ配線であり、これらの配線４，５が切断しても瞬間的に火花が出ないように全体がバリア性となっている。
【図面の簡単な説明】
【０００８】
【図１】本考案の一実施の形態における防爆計量システムの説明図である。
【符号の説明】
【０００９】
１    本質安全防爆型台秤
２    本質安全防爆型表示計
３    耐圧防爆型電源ユニット
４，５    配線
【図１】
0003134994.tif 000003
(57)【要約】      （修正有）【課題】従来の草履用爪掛は草履と固定され一体化しているものしかない。その為、屋外では防寒・雨避けとし必要だが、屋内や晴天時ではその必要性がなく邪魔である。【解決手段】草履の先端から前緒２まで爪掛を被せ、穴３に前緒２を通し、面ファスナー４で付け、爪掛底表のゴムテープ５を後緒６に通し爪掛裏面のボタンに掛け固定する事により草履と爪掛の取り外し可能にする。【選択図】図２
0003134920.tif 000002
【実用新案登録請求の範囲】
【請求項１】
草履の先端から前緒２まで爪掛を被せ、穴３に前緒２を通し、面ファスナー４で付け、爪掛底表のゴ厶テープ５を後緒６に通し爪掛裏面のボタン７に掛け固定する事により草履と爪掛の取り外し可能な機能を特徴とする和装用草履の爪掛。
【考案の詳細な説明】
【技術分野】
【０００１】
本考案は和装用草履の爪掛の改良に関する。
【背景技術】
【０００２】
従来の爪掛は草履と固定され一体化している物が多い。その為、屋外では防寒・雨避けとし必要だが屋内ではその必要性が無く邪魔である。
【考案の開示】
【考案が解決しようとする課題】
【０００３】
上記で述べた従来の物では爪掛付き草履と付いていない普通の草履の二足が必要となりどちらか一足の草履ではＴＰＯに対応出来ない。
【０００４】
本考案はこの様な従来の欠点を解消する工夫を施した爪掛を提供する事を目的とする。
【課題を解決するための手段】
【０００５】
上記目的を達成する為に草履の先端から前緒２まで爪掛を被せ、穴３に前緒２を通し、面ファスナーで４で付け、爪掛底表のゴムテープ５を後緒６に通し爪掛裏面のボタン７に掛け固定する事により草履と爪掛の取り外し可能にする。
【０００６】
本発明は上記の様な構成により、爪掛は面ファスナー４と後緒６にゴムテープ５でボタン７を掛ける事で取り外し可能にする物である。
【考案の効果】
【０００７】
本考案は前記した様に草履と爪掛の取り外しが出来、一足の草履で二通りの使用が可能となる。又、爪掛の携帯も可能になる為に今までの欠点とする場合に対しての解決が出来る。
【考案を実施するための最良の形態】
【０００８】
図２、図４に示す実施は草履の先端から前緒２まで爪掛を被せ、穴３に前緒２を通し、面ファスナー４で付け爪掛底表のゴムテープ５を後緒６に通し爪掛裏面ボタン７に掛け固定する。
【図面の簡単な説明】
【０００９】
【図１】本発明を草履に設置した図
【図２】本発明を草履に設置した断面図
【図３】本発明表面図
【図４】本発明裏面図
【符号の説明】
【００１０】
１  爪掛（つまかわに同じ）
２  前緒
３  穴
４  面ファスナー
５  ゴムテープ
６  後緒
７  ボタン
【図１】
0003134920.tif 000003
【図２】
0003134920.tif 000004
【図３】
0003134920.tif 000005
【図４】
0003134920.tif 000006
(57)【要約】【課題】溶接部の溶接欠陥の多くの補修施工の工程をなくし、生産性を向上させ、コストダウンを図ることが出来る等の溶接部の補修施工の改善を行うこと。【解決手段】溶接継手が、溶接欠陥のある溶接部と，当該溶接部の表面に塗布された深溶込みフラックスと，からなること。これにより、ガウジング作業、グラインダー仕上げ作業、及び溶接材料を使った溶接作業を無くすことが出来、それにより、省エネルギー、省資源、省人化が達成でき、かつ、大幅なコストダウンを図ることが出来、さらに、納期短縮を図ることが出来る。【選択図】図３
0003134957.tif 000002
【実用新案登録請求の範囲】
【請求項１】
溶接欠陥のある溶接部と，
当該溶接部の表面に塗布された深溶込みフラックスと，
からなることを特徴とする溶接継手。
【考案の詳細な説明】
【技術分野】
【０００１】
本考案は、溶接継手、特に溶接欠陥のある溶接継手に関する。
【背景技術】
【０００２】
従来、溶接施行を行った後、溶接部に対し、非破壊検査（Ｘ線検査）を行うと図１Ａに示すような空洞１０、図１Ｂに示すようなスラグ２０（ガラス状のもの）巻き込み、図１Ｃに示すような融合不良又は割れ３０等の溶接欠陥が発見される場合がある。
【０００３】
このような場合、図２Ａ−図２Ｅに示すような補修方法で補修施工されている。即ち、図２Ａに示すようにＸ線検査で溶接欠陥を発見した場合、図２Ｂに示すように物理的に掘り下げ（ガウジング作業）、溶接欠陥を取り除き、図２Ｃに示すようにグラインダー作業をして仕上げを行い、図２Ｄに示すように補修溶接を行い、図２Ｅに示すように再度Ｘ線検査を行い溶接欠陥が解消されたかどうかを検査していた。
【０００４】
しかし、図２Ａ−図２Ｅに示すような従来の補修施工は自動的でなく全て手作業で行われていたため、人的に膨大な作業量と工程を要し、そのため生産性を著しく下げ、コストも多大なものとなっていた。
【考案の開示】
【考案が解決しようとする課題】
【０００５】
そこで、本考案は、溶接部の溶接欠陥の多くの補修施工の工程をなくし、生産性を向上させ、コストダウンを図ることが出来る等の溶接部の補修施工の改善を行うことを目的とする。
【課題を解決するための手段】
【０００６】
前記目的を達成するため、本考案の溶接継手は、
溶接欠陥のある溶接部と、当該溶接部（溶接ビート）の表面（上面）に塗布された深溶込みフラックス（溶接促進剤のことで、酸化物を主体とした粉末状の活性フラックスのことをいう。）と、からなる。
【考案の効果】
【０００７】
本考案は、溶接欠陥のある溶接部の表面（上面）に塗布された深溶込みフラックスがあることが特徴であり、それにより、ガウジング作業、グラインダー仕上げ作業、及び溶接材料を使った溶接作業を無くすことが出来、それにより、省エネルギー、省資源、省人化が達成でき、かつ、大幅なコストダウンを図ることが出来、さらに、納期短縮を図ることが出来るものである。
【考案を実施するための最良の形態】
【０００８】
本考案は、溶接欠陥のある溶接部の補修施工において深溶込みフラックスを利用することであるが、その深溶込みフラックスとは、たとえば下記の表１に示す成分よりなる粉末フラックスのことである。
【０００９】
0003134957.tif 000003
【００１０】
図３Ａ〜図３Ｄに示す如く、溶接施工を行った溶接部１をＸ線検査することにより、溶接欠陥２が発見された場合（図３Ａ）、溶接欠陥のある溶接部１の表面（上面）に深溶込みフラックス３が塗布される（図３Ｂ）。
【００１１】
そして、ＴＩＧ溶接を行うと（図３Ｃ）、当該フラックス３の成分が蒸発し、アーク柱を収縮させて細くすると同時に、溶融池の対流撹拌を外側から中心部へ行うことで、深い溶け込みを得ることが出来るものであり、図３ＤはＸ線検査の結果溶接欠陥が無くなった状態を示している。
【００１２】
即ち、溶接部１に空洞がある場合、ガスが吹き上げ、スラグ巻き込みがある場合、ガラスが溶けて浮き上がり、融合不良又は割れ、がある場合、溶けて溶け込むことにより、溶接欠陥２を解消することが出来るものである。
【００１３】
このすぐれた特性を利用して、溶接欠陥部を再溶融し、表面へ浮上させることで溶接欠陥２を補修するものである。
このように、本考案は溶接欠陥２がある表面に塗布された深溶込みフラックスがあることにより、ＴＩＧ溶接法で溶融することで溶接欠陥を補修することが出来るものである。
【図面の簡単な説明】
【００１４】
【図１】溶接欠陥を示す図であり、Ａは空洞が出来た溶接欠陥を示し、Ｂはスラグ巻き込みが出来た溶接欠陥を示し、Ｃは融合不良又は割れが出来た溶接欠陥を示すものである。
【図２】従来の補修施工を示す図であり、ＡはＸ線検査で溶接欠陥を発見したことを示し、Ｂはガウジング作業を示し、Ｃグラインダー作業を示し、Ｄは補修溶接を示し、ＥはＸ線検査を示すものである。
【図３】本考案に基づく補修施工を示す図であり、Ａは溶接欠陥のある溶接部を示し、Ｂは塗布された深溶込みフラックスを示し、ＣはＴＩＧ溶接を行っている状態を示し、ＤはＸ線検査を示すものである。
【符号の説明】
【００１５】
１    溶接部
２    溶接欠陥
３    深溶込みフラックス
【図１】
0003134957.tif 000004
【図２】
0003134957.tif 000005
【図３】
0003134957.tif 000006